(57)【特許請求の範囲】
【請求項１】
長手方向軸線、第１腰部領域、第２腰部領域、及びそれらとの間に配置された股部領域を有する使い捨て吸収性物品であって：
液体透過性トップシート；
対向する長手方向縁部を有する液体不透過性バックシート；
該トップシートと該バックシートとの間に配置された吸収性コア；
該長手方向軸線の両側に配置された一対のバリアレッグカフ；及び
該バリアレッグカフの外側に配置された一対のサイドパネルであって、各々が該股部領域において前記バックシートの長手方向縁部に隣接する中央部分と、該第１腰部領域及び該第２腰部領域において該長手方向縁部の外側に横断方向に伸びる二つの対向する末端部分と、を有する一対のサイドパネルと、を具備し、
前記バリアレッグカフと前記サイドパネルは単一不織布層により一体的に形成された単層構造体からなり、前記単一不織布層の単層構造体の各々が、前記バリアレッグカフを形成する第１領域と、前記サイドパネルを形成する第２領域とを包含し、前記第２領域の坪量が、前記第１領域の坪量の少なくとも１２５％である、使い捨て吸収性物品。
【請求項２】
前記第２領域が５．５Ｎ／ｃｍ〜１２．０Ｎ／ｃｍの範囲の横方向引っ張り強度を有する、請求項１記載の使い捨て吸収性物品。
【請求項３】
前記第１領域が１００ｍｍの平均障壁水頭を有する、請求項１記載の使い捨て吸収性物品。
【請求項４】
前記第２領域が前記第１領域よりも高い不透明度を有する、請求項１記載の使い捨て吸収性物品。
【請求項５】
前記第２領域が３５〜５５単位の範囲の不透明度を有する、請求項４記載の使い捨て吸収性物品。
【発明の詳細な説明】
【技術分野】
【０００１】
本発明は、おむつ、トレーニングパンツなどのような衛生的な吸収性物品に関する。本発明は特にサイドパネルと一体であるカフスを包含する使い捨ておむつに関する。
【背景技術】
【０００２】
幼児及び他の失禁者は、尿及び他の身体排泄物を受けて封じ込めるためにおむつなどの使い捨て吸収性物品を着用する。吸収性物品は、着用者の身体から、並びに着用者の衣類及び寝具から排出された物質を封じ込め且つ隔離する両方の機能を行う。多数の異なる基本的デザインを有する使い捨て吸収性物品が当該技術分野で既知である。最新の使い捨ておむつは、液体透過性トップシート、液体不透過性バックシート、吸収性コア、及び伸縮性レッグフラップを具備する。伸縮性レッグフラップの各々は一般に、吸収性コアの長手方向縁部に沿って配置された弾性部材から形成され、トップシートとバックシートとの間に挟まれている。これらの伸縮性レッグフラップは一般に、液体を含んだおむつからおむつの縁部に接触している衣類に亘って漏れる及び流出することを防ぐ。更に伸縮性レッグフラップは、着用者の脚の周囲にガスケット作用を提供し、脚の周囲の密閉を維持すると共に脚の周囲の間隙を最小化する。しかしそれでも、おむつの周辺部に沿って漏れが発生することがある。例えば、おむつが長時間に亘って着用される時、おむつに抵抗力が作用し、着用者に対して初めに存在していた適合が低下し、大きい間隙を作ることになると共に、特に脚と腰の周囲で弛む。従って、液体がトップシートの上に堆積するに際して、液体の中にはトップシートを通って即座に吸収されず、おむつの縁部に向かって移動するものがあり、その液体はおむつの間隙を通って漏れるかまたはそこを通過して衣類または下着と接触し、こうした衣類に吸収されてその中に染み込むことになり得る。
【０００３】
使い捨ておむつは、ゆるい糞便物質、または尿若しくは液体の噴出が着用者の衣類を汚すのを阻止する別個に取り付けられたバリアカフスを備えている。バリアカフスは、該物質の自由な流れを制限すると共に、そうした物質をおむつ内に保持するための構造を備えている。一般にバリアカフスは、カフス材料から独立したウェブをトップシートウェブまたは完成したシャーシのトップシートに取り付けることにより形成される。例えば、本発明の譲受人に共に譲渡されたローソン（Lawson）への米国特許第４，６９５，２７８号は、バリアカフスがトップシートに接合された別個の要素である二重カフスの配置を教示している。トップシートに独立したウェブまたはカフス材料を加えると、シャーシの嵩を増大すると共に使用中での雑音が起こる製品を生じることもある。それに加えてバリアカフスが別個の要素としてトップシートに取り付けられる時、バリアカフス取り付け専用の特別な機械装置が必要であり、それが完成した物品の価格に加えられる。
【０００４】
更に、従来のおむつが製造される時、物品の側面でノッチが切断されて、物品を着用する人の脚に輪郭をつける。例えばレッグノッチは、吸収性物品の面積の約１５〜２０％である。レッグノッチを作るために物品から除去される部分は、この製造方法ではもはや使用されることはなく捨てられる。おむつ製造の現状の方法では、従って大量の不必要な廃物を生じることになる。
【発明の開示】
【発明が解決しようとする課題】
【０００５】
故に、良好な収容性を有し着用者に快適なおむつなどの使い捨て吸収性物品を提供することが望ましい。経済的且つ迅速な製造が容易で、良好な収容性及び通気性を有する使い捨て吸収性物品を提供することも望ましい。
【課題を解決するための手段】
【０００６】
当該技術分野において発見された複数の問題を解決するために、身体面表面を有する液体透過性トップシート、吸収性物品の長手方向縁部を形成する液体不透過性バックシート、及びトップシートとバックシートとの間に配置された吸収性コアを具備する使い捨て吸収性物品が提供される。バリアレッグカフスは、吸収性コアの対向する側面に沿って配置され、一対のサイドパネルは物品の対向する側面の上でバリアレッグカフスの外側に配置される。サイドパネルの中央部分は、吸収性物品の長手方向縁部と相合する一方、末端部分は長手方向縁部を超えて伸び、前後の耳パネルを形成する。
【０００７】
バリアレッグカフス及びサイドパネルは、単一不織布層から一体的に形成される。単一不織布層は浮き上がって、異なる坪量の領域を有する不織布材料を提供することも可能である。例えば単一不織布層は、バリアレッグカフスを形成する第１領域と、サイドパネルを形成する第２領域とを包含し、第１領域は第２領域より低い坪量を有することもある。浮き上がり形体は、締着装置をおむつに固定するために必要な強度の材料を送達するサイドパネルを提供し得る一方、通気性があり静かであるばかりでなく美的にも好ましく、着用者の皮膚を覆うことができる。同時に、バリアレッグカフス領域はより低い坪量で用意されるので、着用者の皮膚に快適な柔軟性をもたらし得る。
【０００８】
他の実施形態では、トップシート、バリアレッグカフス、及びサイドパネルは単一不織布層から形成される。この実施形態では、単一不織布層は、トップシートを形成する第３領域を備えることもできる。第３領域は、第１領域及び第２領域と異なる坪量を有すると共に、親水性のコーティングを含むことも可能である。
【発明を実施するための最良の形態】
【０００９】
本明細書は、本発明を形成すると思われる主題を特定して指摘し明確に請求する請求項にてまとめるが、本発明は、添付図と関連づけて行う以下の説明によってより良く理解されると考えられ、添付図中では同様の表示記号は実質的に同一の要素を示すのに使用する。
【００１０】
本明細書は、発明とみなす点を特に指摘し明確に請求する請求項にて結論とするが、次の本発明の詳細説明を読んで添付図面を検討することにより、本発明をより容易に理解することができると考える。
【００１１】
（定義）
本明細書での使用において次の用語は次に示す意味を有する。  
「吸収性物品」とは、液体を吸収及び封じ込める装置を指し、より具体的には、着用者の身体に対してまたはそれに近接して配置されて、身体から排泄された様々な排出物を吸収及び封じ込める装置を指す。  
「長手方向」は、物品の最大の直線寸法に平行に走る方向であり、長手方向±４５°内の方向を包含する。  
「横」または「横断」方向は、長手方向に直交する。  
「Ｚ方向」は、長手方向と横断方向の双方向に直交する。  
「Ｘ−Ｙ平面」とは、長手方向と横断方向に相合する平面を指す。  
坪量とは、１平方メートル当たりのグラム数で記録された、サンプルの単位面積（平方メートル）当たりの重量（グラム）である。
【００１２】
ＭＤで表された縦方向は、製品の製造装置を通るウェブ材料の流れに平行な方向である。  
ＣＤで表された横方向は、ウェブ材料の同一平面において縦方向に垂直な方向である。
【００１３】
用語「使い捨て」は、本明細書では、洗濯する、或いは修繕するか吸収性物品として再利用することを一般に意図しない（すなわち、一回の使用後に廃棄する、好ましくはリサイクルする、堆肥化する、或いは環境に適合する方法で処理することを意図する）吸収性物品を説明するために使用する。
【００１４】
本明細書で使用する用語「配置される」とは、ある要素が特定の場所または位置で他の要素と共に単一構造体として、または他の要素に接合した別個の要素として形成（接合及び配置）されることを意味するために使用する。
【００１５】
本発明で使用する用語「接合される」は、ある要素が他の要素に直接取り付けられることによりその要素に直接固定される構成と、ある要素が中間部材に取り付けられ、その中間部材が次に他の要素に取り付けられることにより他の要素に間接的に固定される構成とを包含する。
【００１６】
「単一の」吸収性物品とは、結合した別個の部分から形成され、調和した統一体を形成して、別個のホルダ及びライナーのような別個の操作部分を必要としない吸収性物品を指す。
【００１７】
本明細書で使用する用語「おむつ」とは、一般に乳幼児及び失禁者により胴体下部の周囲で着用される吸収性物品を指す。
【００１８】
本明細書で使用する用語「障壁水頭」とは、連邦試験方法規格第１９１Ａ番−方法５５１４に従って水頭が測定される時、水の体積を支持するための物質の能力を指す。
【００１９】
本発明は、長手方向軸線の対向する側面に沿って配置された一対のバリアカフスと、該バリアカフスの外側に配置された一対のサイドパネルとを包含する使い捨て吸収性物品を提供する。バリアカフスは、サイドパネルと共に不織布の単層から一体的に形成される。一体式カフス／サイドパネルのデザインは、使い捨ておむつ、トレーニングパンツ、失禁用ブリーフ、失禁用下着、吸収性挿入物、おむつホルダ及びライナー、女性用生理衣類などを包含する使い捨て吸収性物品に等しく適用可能である。本発明の使い捨て吸収性物品の一実施形態は、図１に示される使い捨ておむつ２０のような単一使い捨て吸収性物品である。
【００２０】
図１は、平らに広げた非収縮状態の（すなわち、弾性による収縮がない）おむつ２０の平面図であり、おむつ２０の下層構造をより明瞭に示すために構造の一部分が切り取られ、おむつ２０の着用者に接触する部分が見えている。おむつ２０は、長手方向軸線１００と横断方向軸線１１０とを包含する。おむつ２０の１つの末端部分は、おむつ２０の第１腰部領域３６として構成されている。対向する末端部分は、おむつ２０の第２腰部領域３８として構成されている。おむつ２０の中間部分は、第１腰部領域３６と第２腰部領域３８との間を長手方向に伸びる股部領域３７として構成されている。腰部領域３６及び３８は一般に、着用時に着用者の腰を取り巻くおむつ２０の部分を含む。腰部領域３６及び３８は、改善した適合性と収容性をもたらすために着用者の腰の周りで縮むように、弾性要素を包含することもできる。股部領域３７とは、おむつ２０を着用した時に、一般に着用者の脚の間に配置されるおむつ２０の部分である。
【００２１】
おむつ２０のシャーシ（基台）２２はおむつ２０の本体を包含する。シャーシ２２は、液体透過性トップシート２４及び／または液体不透過性バックシート２６、及びトップシート２４とバックシート２６との間に囲まれた吸収性コア２８の少なくとも一部分を含む外側カバーを具備する。単一の吸収性物品の場合、シャーシ２２は、付加された他の機構を有するおむつの主要構造を具備し、おむつ複合構造体を形成する。トップシート２４、バックシート２６、及び吸収性コア２８は、様々な周知の形体に組み立てることができるが、好ましいおむつの形体が一般的に説明された特許としては、１９７５年１月１４日にブエル（Kenneth B.Buell）へ発行された「使い捨ておむつの収縮可能な側部分（Contractible Side Portions for Diposable Diaper）」という発明名称の米国特許第３，８６０，００３号、１９９２年９月９日にブエルへ発行された米国特許第５，１５１，０９２号、１９９３年６月２２日にブエルへ発行された米国特許第５，２２１，２７４号、１９９６年９月１０日にロー（Roe）らへ発行された「多ゾーン構造の弾性様フイルムウェブの延伸性腰部機構を有する吸収性物品（Absorbent Article With Multiple Zone Structural Elastic-Like Film Web Extensible Waist Feature）」という発明名称の米国特許第５，５５４，１４５号、１９９６年１０月２９日にブエルらへ発行された「使い捨てプルオンパンツ（Disposable Pull-On Pant）」という発明名称の米国特許第５，５６９，２３４号、１９９６年１２月３日にニース（Nease）らへ発行された「吸収性物品用サイドパネルを製造するゼロスクラップ方法（Zero Scrap Method For Manufacturing Side Panels For Absorbent Articles）」という発明名称の米国特許第５，５８０，４１１号、及び１９９９年１２月２１日にローブル（Robles）らへ発行された「多方向伸長性サイドパネルを有する吸収性物品（Absorbent Article With Multi-Directional Extensible Side Panels）」という発明名称の米国特許第６，００４，３０６号があり、それぞれの特許を参照として引用し本明細書に組み入れる。
【００２２】
トップシート２４は、全体的にまたは部分的に伸縮性であることもでき、或いは収縮させてトップシート２４とコア２８との間に空隙空間を形成することも可能である。伸縮性のまたは収縮させたトップシートを包含する代表的な構造は、１９９０年１月９日にデマレーズ（Des Marais）らへ発行された「弾性ストランドを有する吸収性物品（Absorbent Article Having Elastic Strands）」という発明名称の米国特許第４，８９２，５３６号、１９９１年２月５日にフリーランド（Freeland）へ発行された「排出物隔離のために弾性ライナーを備える吸収性物品（Absorbent Article With Elastic Liner For Waste Material Isolation）」という発明名称の米国特許第４，９９０，１４７号、１９９１年８月６日にアレン（Allen）らへ発行された「弾性的伸長性のトップシートを有する使い捨て吸収性物品（Disposable Absorbent Article Having Elastically Extensible Topsheet）」という発明名称の米国特許第５，０３７，４１６号、及び１９９３年１２月１４日にフリーランド（Freeland）らへ発行された「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」という発明名称の米国特許第５，２６９，７７５号にさらに詳細に説明され、これら特許の各々を参照として引用し本明細書に組み入れる。
【００２３】
バックシート２６は一般に、その中に吸収して封じ込めた排泄物が、おむつ２０と接触する可能性のあるベッドシーツや下着等の物品を汚すのを防ぐ、吸収性コア２８の衣類に面する表面４５に隣接して配置されるおむつ２０の部分である。好ましい実施形態では、バックシート２６は、液体（例えば尿）不透過性であり、厚さ約０．０１２ｍｍ（０．５ミル）〜約０．０５１ｍｍ（２．０ミル）の熱可塑性フィルムなどの薄いプラスチックフィルムを具備する。好適なバックシートフィルムとしては、インディアナ州テレホート（Terre Haute,IN）のトレドガーインダストリー社（Tredegar Industries Inc.）により製造され、Ｘ１５３０６、Ｘ１０９６２及びＸ１０９６４の商品名で販売されるものが挙げられる。他の好適なバックシート材料として、排泄物がバックシート２６を通過するのを防ぐ一方、蒸気をおむつ２０から逃がす通気性材料を挙げることができる。代表的な通気性材料として、織物ウェブ、不織布ウェブ、フィルム被覆不織布ウェブのような複合材料、例えばエスポアール（ESPOIR）ＮＯの名称で日本の三井東圧株式会社により、またエクサエール（EXXAIRE）の名称でテキサス州ベイシティ（Bay City）のエクソンケミカル社（Exxon Chemical Co.）により製造されるような微小多孔性フィルム、例えばハイトレル（HYTREL）ブレンドＰ１８−３０９７の名称でオハイオ州シンシナティ（Cincinnati）のクロペイ社（Clopay Corporation）により製造されるようなモノリシックフィルム、などの材料を挙げることができる。いくつかの通気性複合材料は、１９９５年６月２２日にデュポン（E.I.DuPont）の名前で発行されたＰＣＴ国際公開特許ＷＯ９５／１６７４６、１９９９年８月１７日にラボン（LaVon）らに発行された米国特許第５，９３８，６４８号、１９９９年２月２日にクロ（Curro）の名前で発行された米国特許第５，８６５，８２３号、及び１９９６年１１月５日にドブリン（Dobrin）らに発行された米国特許第５，５７１，０６９号に更に詳細に説明されている。これらの参考資料のそれぞれを参照として引用し本明細書に組み入れる。
【００２４】
バックシート２６、またはそのいずれかの部分は、１以上の方向に弾性的に伸長することもできる。一実施形態では、バックシート２６は、構造的に弾性状のフィルム（「ＳＥＬＦ」）ウェブを具備することもできる。構造的に弾性状のフイルムウェブは、追加の弾性材料を使用せずに伸長方向に弾性的性質を示す伸長性の材料であり、更に詳細には、１９９６年５月２１日にチャッペル（Chappell）らへ発行された「弾性的性質を示すウェブ材料（Web Materials Exhibiting Elastic-Like Behavior）」という発明名称の米国特許第５，５１８，８０１号に説明されており、この特許を参考として引用し本明細書に組み入れる。他の実施形態では、バックシート２６は、エラストマーフィルム、発泡体、ストランド、またはこれら若しくは他の適切な材料と不織布若しくは合成フィルムとの組み合わせを包含し得る。
【００２５】
更に、図２と図３に示されるように、バックシート２６は、布状のバックシートを具備することもでき、それは不織布２７によって覆われる衣類に面する表面を有する微小多孔性フィルム２５を含む。不織布２７は、接着剤、超音波、または赤外線結合によって微小多孔性フィルムに固着することも可能である。フィルムへの不織布の固着は、バックシート２６の伸長性を阻止する可能性がある剛性を加える。従って、不織布は好ましくは、フィルムバックシートの中央部分に限定され、長手方向縁部５０に沿った部分を露出する。
【００２６】
バックシート２６は、トップシート２４、吸収性コア２８、またはおむつ２０の他のいずれかの要素に、当該技術分野において既知のいずれかの取り付け手段により接合することもできる。例えば、取り付け手段としては、均質な連続層の接着剤、模様付き層の接着剤、または分離した線、渦巻き、若しくは点の配列の接着剤が挙げられる。好ましい一取り付け手段は、接着剤フィラメントの開放模様網を包含し、１９８６年３月４日にミネトラ（Minetola）らへ発行された「使い捨て排泄物収容衣料（Disposable Waste-Containment Garment）」という発明名称の米国特許第４，５７３，９８６号に開示されている。他の好適な取り付け手段としては、螺旋模様に巻かれた数本の接着性フィラメントのラインが挙げられ、１９７５年１０月７日にスプラーグ（Sprague,Jr.）に発行された米国特許第３，９１１，１７３号、１９７８年１１月２２日にジーカー（Ziecker）らに発行された米国特許第４，７８５，９９６号、及び１９８９年６月２７日にウェレ二クス（Werenicz）に発行された米国特許第４，８４２，６６６号に示された装置及び方法によって説明されている。これら特許の各々を参照として引用し本明細書に組み入れる。好適であることが見出されたのは、ミネソタ州セントポール（St.Paul）のフラー社（H.B.Fuller Company）によって製造され、ＨＬ−１６２０及びＨＬ−１３５８−ＸＺＰとして市販されている接着剤である。あるいは、取り付け手段は、熱結合、圧力結合、超音波結合、動的機械的結合、赤外線結合、または他のいずれか好適な取り付け手段、または当該技術分野で既知であるような取り付け手段の組み合わせを包含し得る。
【００２７】
おむつ２０は好ましくは、更に、液体、及びその他の身体排泄物の収容性における改善をもたらすレッグカフス３２を具備する。レッグカフス３２は、レッグバンド、サイドフラップ、バリアカフス、または弾性カフスとも呼ぶこともできる。１９８９年２月２８日及び１９９０年３月２０日にアジズ（Aziz）らに発行された米国特許第４，８０８，１７８号及び第４，９０９，８０３号は各々、脚部領域の収容性を改善する「スタンド式」伸縮性フラップ（バリアカフス）を有する使い捨ておむつを説明しており、これを参考として引用し本明細書に組み入れる。
【００２８】
バリアレッグカフス３２は、Ｘ−Ｙ平面においてトップシートに取り付けられる基部末端部と、トップシートからＺ方向に、折り畳まれて１以上の弾性ストランドを囲む自由端まで伸びる自由端とを包含することもできる。あるいはバリアレッグカフス３２は、折り畳まれて自由端を形成する単一不織布材料から作製された裏返しのインナーカフスを包含することも可能である。複数の弾性要素がカフスに配置され、一方が自由端を形成するひだに、別の一方が自由端を形成しているひだとカフスの基部を形成する対向の末端部との中間に、配置することもできる。いずれの実施形態においても、バリアレッグカフス３２の長手方向の内側を製品のトップシート２４に取り付けることもできる一方、長手方向の外側がシャーシ２２の第１腰部領域３６及び第２腰部領域３８に取り付けられている長手方向に対向する末端部と共に外向きに折り返される。
【００２９】
使い捨ておむつは、一対の弾性的に収縮可能なガスケットレッグカフス３４を包含することもできる。ガスケットレッグカフス３４は一般に、バックシートの長手方向縁部５０に隣接したバリアレッグカフス３２の外側に配置されると共に、バックシートとトップシートとの間に置かれて固定された少なくとも一つの、好ましくは一つより多い弾性ストランドを具備する。米国特許第３，８６０，００３号は、伸縮性レッグカフス（ガスケットカフス）を提供するためにサイドフラップ及び１以上の弾性部材を有する収縮可能な脚部開口部を提供する使い捨ておむつを説明しており、これを参照として引用し本明細書に組み入れる。更に、１９８７年９月２２日にローソン（Lawson）に発行された米国特許第４，６９５，２７８号と、１９８９年１月３日にドラグー（Dragoo）に発行された米国特許第４，７９５，４５４号では、各々がガスケットカフス及びバリアカフスを含む二重カフスを有する使い捨ておむつを説明しており、これらもまた参照として引用し本明細書に組み入れる。
【００３０】
おむつ２０はサイドパネル３０も具備することも可能である。サイドパネル３０は弾性または伸長性を有することも可能で、まずおむつ２０を着用者にぴったりと適合させることで、より快適で体形に合った適合感をもたらし、伸縮性サイドパネル３０によりおむつ２０の側部が伸張及び収縮するので、おむつ２０が排泄物の負荷を受けたかなり後の着用期間中もその適合感が維持される。たとえ適用中に介護人が一方の伸縮性サイドパネル３０をもう一方より遠くに引っ張った場合でも、おむつ２０は着用中に「自己適合」するので、サイドパネル３０は、おむつ２０をより有効に適用することもできる。
【００３１】
本発明のおむつ２０は、好ましくは第２腰部領域３８に配置されるサイドパネル３０を有する一方、第１腰部領域３６、または第１腰部領域３６と第２腰部領域３８との両方に配置されるサイドパネル３０を伴って用意することも可能である。サイドパネル３０は、いかなる好適な形体に作り上げることもできる。伸縮性サイドパネルを伴うおむつの実施例は、１９８９年８月１５日にウッド（Wood）らへ発行された「シャーリングを付けた耳パネルを有する使い捨ておむつ（Disposable Diaper Having Shirred Ears）」という発明名称の米国特許第４，８５７，０６７号、１９８３年５月３日にシアラファ（Sciaraffa）らへ発行された米国特許第４，３８１，７８１号、１９９０年７月３日にバンゴンペル（Van Gompel）らへ発行された米国特許第４，９３８，７５３号、本明細書で既に参照した１９９２年９月９日にブエル（Buell）へ発行された米国特許第５，１５１，０９２号、１９９３年６月２２日にブエル（Buell）へ発行された米国特許第５，２２１，２７４号、１９９７年９月２３日にラボン（LaVon）らへ発行された「動的な適合を維持する吸収性物品（Absorbent Articles Providing Sustained Dynamic Fit）」という発明名称の米国特許第５，６６９，８９７号、及び１９９９年１２月２１日にローブルズ（Robles）らへ発行された「多方向伸長性のサイドパネルを有する吸収性物品（Absorbent Article With Multi-Directional Extensible Side Panels）」という発明名称の米国特許第６，００４，３０６号に開示され、その各々を参照として引用し本明細書に組み入れる。
【００３２】
おむつ２０は、締着装置４０を包含することも可能である。締着装置４０は、サイドパネル３０に取り付けられて、着用者の上におむつ２０を保持するために、好ましくはおむつ２０の周囲で横方向の引っ張りを提供するような形体で第１腰部領域３６及び第２腰部領域３８を維持することもできる。他のいずれか既知の締着手段も一般に使用することができるが、締着装置４０は、テープ状タブ、フック・ループ式締着要素、及び／または相互に噛み合う締着要素等の面ファスナを包含することが好ましい。着用者の周囲での適合性を維持していくために、本発明のファスナは、弾性的に伸長性若しくは伸縮性であることも可能で、または弾性的に伸長性若しくは伸縮性であるタブによってサイドパネルに取り付けることもできる。
【００３３】
いくつかの代表的な表面締着システムが、１９７４年１１月１９日にブエル（Buell）に発行された「使い捨ておむつ用テープ締着システム（Tape Fastening System for Disposable Diaper）」という発明名称の米国特許第３，８４８，５９４号、１９８７年５月５日にヒロツ（Hirotsu）らに発行された「吸収性物品（Absorbent Article）」という発明名称の米国特許４，６６２，８７５Ｂ１号、１９８９年７月１１日にスクリップス（Scripps）に発行された「改良された締着デバイスを有する使い捨ておむつ（Disposable Diaper Having An Improved Fastening Device）」という発明名称の米国特許第４，８４６，８１５号、１９９０年１月１６日にネステガード（Nestegard）に発行された「改良されたフックファスナ部分を有する使い捨ておむつ（Disposable Diaper With Improved Hook Fastener Portion）」という発明名称の米国特許第４，８９４，０６０号、１９９０年８月７日にバットレル（Battrell）に発行された「感圧接着剤付きファスナ及びその製法（Pressure-Sensitive Adhesive Fastener And Method of Making Same）」という発明名称の米国特許第４，９４６，５２７号、本明細書で既に参照した、１９９２年９月９日にブエルに発行された米国特許第５，１５１，０９２号、及び１９９３年６月２２日にブエルに発行された米国特許第５，２２１，２７４号に開示されている。代表的な連結締着システムが、１９９８年８月８日にクライン（Kline）らの名前で出願された「吸収性物品用締結デバイス（Absorbent Article Fastening Device）」という発明名称の同時係属中である米国特許出願番号０９／１４３，１８４に開示されている。締着装置４０はまた、１９９０年１０月１６日にロバートソン（Robertson）らへ発行された米国特許第４，９６３，１４０号に開示されるような、廃棄するための形体に物品を保持する手段を提供することもまた可能である。締着装置は、１９８７年１０月１３日にトーサン（Toussant）らに発行された「改善されたサイドクロージャを有する使い捨ておむつ（Disposable Diaper Having An Improved Side Closure）」という発明名称の米国特許第４，６９９，６２２号に開示されるような第１及び第２締着装置もまた包含することが可能で、１９９３年９月７日にウェイル（Weil）らに発行された「動的伸縮性ウエストバンドの適合性を提供する締着装置を有する吸収性物品（Absorbent Article With Fastening System Providing Dynamic Elasticized Waistband Fit）」という発明名称の米国特許第５，２４２，４３６号、１９９６年３月１９日にブエル（Buell）らに発行された「予め配置された弾力的可撓性ヒンジを有する動的弾性的ウエスト機構を有する吸収性物品（Absorbent Article With Dynamic Elastic Waist Feature Having A Predisposed Resilient Flexural Hinge）」という発明名称の米国特許第５，４９９，９７８号、１９９６年４月１６日にクリア（Clear）らに発行された「膨張性のおなかパネルを備える動的弾性的ウエスト機構を有する吸収性物品（Absorbent Article With Dynamic Elastic Waist Feature Comprising An Expansive Tummy Panel）」という発明名称の米国特許第５，５０７，７３６号、１９９７年１月７日にブエル（Buell）らに発行された「予め配置された弾力的可撓性ヒンジを有する動的弾性的ウエスト機構を有する吸収性物品（Absorbent Article With Dynamic Elastic Waist Feature Having A Predisposed Resilient Flexural Hinge）」という発明名称の米国特許第５，５９１���１５２号に開示されるように、重なり合った部分のずれを低減することも、または適合性を改善することもできる。
【００３４】
図２に示す実施形態は、バリアレッグカフス３２の外側に配置された一対のサイドパネル３０と共に、おむつ２０の長手方向軸線１００に対向する側面の上に配置された一対のバリアレッグカフス３２を示し、一体的に形成された一つのバリアレッグカフス３２と一つのサイドパネル３０との組み合わせが単一不織布層から作製されることを図解している。これらの単一不織布層は、接着剤、超音波結合、高周波結合、または他の好適な手段を使用してシャーシ２２に取り付けることができる。サイドパネル３０は一般に２以上の層から作成されるので、単一不織布層のデザインは材料経費の削減につながる必要な材料の量を低減し、並びに嵩高でなく潜在的に軽量である製品デザインを生じることになる。
【００３５】
構成要素の機能的必要性を満たすために、バリアレッグカフス３２とサイドパネル３０との組み合わせは、カフスの収容能力及び柔軟性を提供すると同時に、ファスナをサイドパネルに固定し得る引っ張り力を提供する材料の単一不織布層から、一体的に形成され得る。これらの特性を提供するのに必要な材料特性は、多少矛盾している。なぜならば、サイドパネル３０に望ましい強度を有する材料は、一般に、バリアレッグカフス３２に望ましい柔軟性を提供することのできない剛性を表すからである。単一不織布層は、バリアカフス３２に望ましい柔軟性及び収容特性を提供する第１領域６２と、サイドパネル３０に望ましい引っ張り力を有する第２領域６４とを含む、浮き上がり不織布を具備することもできる。
【００３６】
例えば、スパンボンドフィラメントに浮き上がるポリプロピレンスパンボンド熱点結合不織布を提供することも可能である。浮き上がりフィラメントは、収容性を保持するための適切な障壁且つ快適さを保つための柔軟性を提供する第１領域６２の低坪量領域と、締着に必要な引っ張り力を提供する第２領域６４の高坪量領域とを形成すべく作製され得る。本発明では、第２領域６４の坪量は第１領域６２の坪量の１００％、好ましくは第１領域６２の坪量の１２５％、最も好ましくは第１領域６２の坪量の１５０％である。坪量は工業規格ＡＳＴＭ  Ｄ３７７６−９６を使用して測定する。
【００３７】
図３に示される他の実施形態では、液体透過性トップシート２４、一対のバリアレッグカフス３２、及び一対のサイドパネル３０は、単一不織布層から一体的に形成される。この実施形態では、単一不織布層の浮き上がり形体は、透過性トップシート２４を形成する第３領域６６を包含する。トップシート２４を形成する第３領域６６は、第２領域６４の坪量より低い坪量及び／または第１領域の坪量以下の坪量を有することもできる。この実施形態では、第３領域６６は親水性のコーティングで処理し、親水性を強化することもできる。
【００３８】
既に説明された各実施形態において、浮き上がり形体は、第１領域６２及び第３領域６６より高い横方向引っ張り強度、並びに第１領域６２及び第３領域６６より高い不透明度を有する第２領域６４を提供することもできる。第１領域６２の横方向引っ張り強度は、約５．５Ｎ／ｃｍ〜約１２．０Ｎ／ｃｍ、好ましくは約７．０Ｎ／ｃｍ〜約１０．０Ｎ／ｃｍの範囲であることもできる。横方向引っ張り強度は、工業規格ＡＳＴＭ  Ｄ５０３５−９５（２インチ（５ｃｍ）ゲージ長及び５インチ／分（１３ｃｍ／分）伸長速度に修正された）を使用して測定される。第２領域６４の不透明度は約３５〜約５５単位、好ましくは約４５〜約５５単位の範囲であり、不透明度は、工業規格ＩＮＤＡ  ＩＳＴ  ６０．１−９５を使用して測定する。
【００３９】
更に、バリアレッグカフス３２の主要な機能は、緩い糞便材料、または尿若しくは液体の噴出による着用者の衣類の汚れを阻止することであり、カフス３２を形成する単一不織布層の第１領域６２はある程度の収容性を示すべきである。収容の程度は、工業規格（上昇する縦列の染み透り）−ＡＡＴＣＣ １２７−１９８５を使用して障壁水頭（既に定義済み）によって測定することができる。第１領域６２は、約６０ｍｍより多い、好ましくは約１００ｍｍより多い障壁水頭を有する。第１領域６２は、第２領域６４より低い坪量を有するので、第２領域６４の障壁水頭は第１領域６２の障壁水頭よりも多い。
【００４０】
押出されたポリマーからスパンボンド熱点結合不織布を製造する装置は、当該技術分野で周知である。圧力下で押出されたポリマーは出糸突起を通過して、下向きに進むフィラメントの垂直に向いたカーテンを形成する。出糸突起は、当該技術分野で既知の集合体を包含すると共に、フィラメント製造用に通例の口径を有する複数のノズル孔を含む。出糸突起集合体は、溶解物の流動性に適合することができ、全てのノズル孔は同一流出率を有する。
【００４１】
出糸突起を出ると、フィラメントは、吸引式で引っ張る装置若しくはエアースロットを細くする装置、または他の装置と連結して空気で冷却される。１９９４年３月８日にゼルディン（Zeldin）らに発行された米国特許第５，２９２，２３９号は、引っ張り力をフィラメントに均一に一貫して適用するために、空気流の有意な乱れを低減する装置を開示している。引っ張りユニットは、開放上部末端部、開放下部末端部、及び圧縮空気を下向き方向の内部ノズルに供給する空気供給多様体を具備する。圧縮空気が内部ノズルを通って流れる時、空気は引っ張りユニットの開放上部末端部内に引き込まれて、下向き方向に流れる空気の速く動く流れを形成する。この空気流は、フィラメントの上で引っ張り力を作り、引っ張りユニットの開放下部末端部を出る前にフィラメントを細くするかまたは広げる。
【００４２】
引っ張りユニットを出ると、フィラメントは動いているコンベヤベルト上に堆積させられ、フィラメントを具備するウェブを形成する。フィラメントはその後、熱点結合のような従来技術により相互に接合される。本発明の不織布層を製造するのに好ましい方法は、１９９７年１１月１８日にルー（Lu）に発行された米国特許第５，６８８，４６８号に説明されており、これを参照として引用し本明細書に組み入れる。
【００４３】
本発明では浮き上がり単一不織布層は、様々な異なる方法でスパンボンドされても、好ましくは材料の横方向に浮き上がらせることもできる。例えば、不織布の予め形成されたストリップを横方向に空間を置いて、被駆動ベルトの上に縦方向に置くこともできる。スパンボンドフィラメントの均質な層は引っ張られ、不織布ストリップの頂部に堆積して、浮き上がり形体を形成することも可能である。その結果、不織布ストリップを含む区域が第２（高坪量）領域６４を形成する一方、その区域間の空間は第１（低坪量）領域６２を形成する。逆に、均質な予め形成された不織布ウェブがベルトの上に置かれ、追加のスパンボンドされた不織布がストリップ状に引っ張られ、均質な予め形成されたウェブの上に推積することもできる。
【００４４】
あるいは、浮き上がり単一不織布は、浮き上がり引っ張り装置を使用して製造され、ウェブの一領域で高密度のフィラメントを引っ張ること、及び他の領域で低密度のフィラメントを引っ張ることもできる。高密度のフィラメントは、低密度のフィラメントより高い坪量領域を生じる。この実施形態では、出糸突起から単一押出しのフィラメントを取るために二重引っ張り装置が作製され、好ましくはウェブを横切るある区域において、高密度区域により多くのフィラメントを置き、低密度区域により少ないフィラメントを置くことができる。
【００４５】
もう一つの実施形態では、浮き上がり単一不織布は、引っ張り方法の間またはその後で、ウェブを横切る高密度区域及び低密度区域にフィラメントを偏向させることにより作製することもできる。偏向は、引っ張り方法の間に導かれた空気を使用して、またはプラウ装置のような機械的手段によって引き起こすことができる。いずれの場合においても、浮き上がりウェブは、好ましくはウェブを横切る低密度区域にフィラメントをまばらに置き、高密度区域に大量に置くことによってウェブを横切って生成する。
【００４６】
本発明の特定の実施形態及び／または個別の機構を例示し記述してきたが、本発明の趣旨と範囲から逸脱することなく、様々な他の変化と変形が可能であることは当業者にとって明白であろう。更に、このような実施形態及び機構の全ての組み合わせが可能であり、またこれにより本発明を好ましく実施できることも明らかである。従って、付随する請求項は、本発明の範囲内にある全てのこのような変化と変形を包括するように意図したものである。
【図面の簡単な説明】
【００４７】
【図１】使い捨ておむつの平面図である。
【図２】単一不織布層から一体的に形成されたバリアレッグカフス及びサイドパネルを有するおむつの断面図である。
【図３】単一不織布層から一体的に形成されたトップシート、バリアレッグカフス、及びサイドパネルを有するおむつの断面図である。
【図１】
0004549671.tif 000002
【図２】
0004549671.tif 000003
【図３】
0004549671.tif 000004